(57)【特許請求の範囲】
【請求項１】
防塵対象の装置に設けられている操作部の前方領域に向けて開口している空気吐出口を有する空気通路と、
当該空気通路の吸排気を行うファンと、
前記空気通路の空気を前記防塵対象の装置における冷却対象部位に導く冷却風供給部と、
前記空気通路の空気の流れを、前記空気吐出口に向かう流れから前記冷却風供給部側に、又は、その逆に切り換える切り換え部と、
前記操作部を操作する操作者が前記操作部の近傍に存在することを検知する操作者検知部と、
前記操作者検知部が前記操作者の存在を検知した場合に、前記切り換え部によって前記空気通路の空気の流れを前記空気吐出口に向かう流れから前記冷却風供給部側に切り換える制御機能と、前記操作者検知部が前記操作者の存在を検知していない場合に、前記切り換え部によって前記空気通路の空気の流れを前記冷却風供給部側から前記空気吐出口に向かう流れに切り換え、また、予め与えられた制御手順に従って前記ファンの回転数を制御する制御機能とを備える制御部と
を有する防塵装置。
【請求項２】
前記空気吐出口には、螺旋状の空気の流れを形成する螺旋気流形成部が設けられている請求項１記載の防塵装置。
【請求項３】
前記制御部は、前記操作者検知部が前記操作者の存在を検知しなくなった以降の予め定めた期間中に、前記ファンの回転数を増加することによって前記空気吐出口から吐出する空気の風量を増加する制御を実行する請求項１又は請求項２記載の防塵装置。
【請求項４】
前記冷却風供給部は、前記空気通路から前記冷却対象部位に伸長している冷却風通路を有する請求項１又は請求項２又は請求項３記載の防塵装置。
【請求項５】
自装置の操作者が操作する操作部と、
前記操作部が露出するように配設される筐体と、
前記操作部の前方領域に向けて空気を吐出する請求項１乃至請求項４の何れか一つに記載の防塵装置と
を有し、
前記防塵装置における空気通路と冷却風供給部とファンと切り換え部と操作者検知部と制御部は前記筐体の内部に位置し、前記空気通路の空気吐出口は前記筐体に設けられている自動取引装置。
【請求項６】
前記空気吐出口から前記操作部の前方領域を通る空気の流路下流側に位置する前記筐体の部分に設けられる空気吸入口から取り込まれた空気を前記ファンに導く給気通路をさらに有する請求項５記載の自動取引装置。
【請求項７】
防塵対象の装置に設けられている操作部の前方領域を覆うように前記防塵対象の装置に被せられる防塵フードと、
前記防塵フードに設けられる請求項１乃至請求項４の何れか一つに記載の防塵装置と
を有し、
前記防塵フードは、前記操作部の前方領域を開口する開口部を有し、
前記防塵装置における空気吐出口は、前記防塵フードの前記開口部の開口端縁に配置されているフード装置。
【請求項８】
前記防塵フードの前記開口部の端縁における前記空気吐出口に向き合う端縁部分に設けられる空気吸入口から前記空気吐出口に空気を通す前記空気通路として機能する通路を備え、
前記防塵装置におけるファンは前記通路に介設されている請求項７記載のフード装置。
【請求項９】
前記通路は前記開口部の端縁に沿って設けられている請求項８記載のフード装置。
【請求項１０】
防塵対象の装置に設けられている操作部を操作する操作者が前記操作部の近傍に存在することを検知する操作者検知部によって、前記操作者が前記操作部の近傍に存在していないことを検知している場合に、ファンによる空気を前記操作部の前方領域に向けて吐出し、また、予め与えられた制御手順に従って前記ファンの回転数を制御し、
前記操作者検知部によって前記操作者が前記操作部の近傍に存在していることを検知した場合に、前記空気の流れを、前記操作部の前方領域に向かう流れから、前記防塵対象の装置における冷却対象部位に向かう流れに切り換える防塵方法。
【発明の詳細な説明】
【技術分野】
【０００１】
本発明は、操作部に埃が堆積することを防止する防塵装置、自動取引装置、フード装置および防塵方法に関する。
【背景技術】
【０００２】
現金自動預け払い機や券売機や情報提供サービス装置を含む自動取引装置の設置場所の多くは、部屋の隅や屋外である。このため、自動取引装置に設けられている操作部（例えばタッチパネル付きのディスプレイなど）は、埃を被り汚れやすい。操作部が埃で汚れていると、自動取引装置の利用者（操作者）は、その汚れにより不快感を持ち、これにより次回の利用を控えてしまう虞がある。このような利用低下を防止するためには、自動取引装置をこまめに清掃することが好ましい。しかしながら、人による自動取引装置の清掃回数を増加すると、その清掃に要する人件費が上昇し、これにより、自動取引装置のメンテナンス費用が高くなってしまう。これに対し、自動取引装置の操作部を機械によって清掃することが考えられる。
【０００３】
特許文献１は、ディスプレイ防塵装置を開示している。このディスプレイ防塵装置は、タッチパネル機能を備えたディスプレイ装置の表示部（操作部）に空気を吹き付ける機能を備えている。当該ディスプレイ防塵装置は、空気を表示部（操作部）に吹き付けることによって表示部に塵埃が堆積することを防止しようとしている。
【先行技術文献】
【特許文献】
【０００４】
【特許文献１】特開２０１１−５３２５１号公報
【発明の概要】
【発明が解決しようとする課題】
【０００５】
特許文献１に示されているディスプレイ防塵装置は、表示部（操作部）に単に空気を吹き付けているだけである。このため、当該ディスプレイ防塵装置には、塵埃を効果的に吹き飛ばせず、表示部に塵埃が堆積してしまうという問題が生じる虞がある。また、当該ディスプレイ防塵装置は、ユーザがコンピュータを利用していると判断した場合には、送風（ファン）を停止あるいは送風量を低下している。このため、送風の利用率が低くなりやすい。
【０００６】
本発明は上記課題を解決するために成されたものである。すなわち、本発明の主な目的は、操作部に塵埃が堆積することを効果的に防止できる防塵装置、自動取引装置、フード装置および防塵方法を提供することである。
【課題を解決するための手段】
【０００７】
本発明の防塵装置は、
防塵対象の装置に設けられている操作部の前方領域に向けて開口している空気吐出口を有する空気通路と、
当該空気通路の吸排気を行うファンと、
前記空気通路の空気を前記防塵対象の装置における冷却対象部位に導く冷却風供給部と、
前記空気通路の空気の流れを、前記空気吐出口に向かう流れから前記冷却風供給部側に、又は、その逆に切り換える切り換え部と、
前記操作部を操作する操作者が前記操作部の近傍に存在することを検知する操作者検知部と、
前記操作者検知部が前記操作者の存在を検知した場合に、前記切り換え部によって前記空気通路の空気の流れを前記空気吐出口に向かう流れから前記冷却風供給部側に切り換える制御機能と、前記操作者検知部が前記操作者の存在を検知していない場合に、前記切り換え部によって前記空気通路の空気の流れを前記冷却風供給部側から前記空気吐出口に向かう流れに切り換え、また、予め与えられた制御手順に従って前記ファンの回転数を制御する制御機能とを備える制御部と
を有する。
【０００８】
本発明の自動取引装置は、
自装置の操作者が操作する操作部と、
前記操作部が露出するように配設される筐体と、
前記操作部の前方領域に向けて空気を吐出する本発明の防塵装置と
を有し、
前記防塵装置における空気通路と冷却風供給部とファンと切り換え部と操作者検知部と制御部は前記筐体の内部に位置し、前記空気通路の空気吐出口は前記筐体に設けられている。
【０００９】
本発明のフード装置は、
防塵対象の装置に設けられている操作部の前方領域を覆うように前記防塵対象の装置に被せられる防塵フードと、
前記防塵フードに設けられる本発明の防塵装置と
を有し、
前記防塵フードは、前記操作部の前方領域を開口する開口部を有し、
前記防塵装置における空気吐出口は、前記防塵フードの前記開口部の開口端縁に配置されている。
【００１０】
本発明の防塵方法は、
防塵対象の装置に設けられている操作部を操作する操作者が前記操作部の近傍に存在することを検知する操作者検知部によって、前記操作者が前記操作部の近傍に存在していないことを検知している場合に、ファンによる空気を前記操作部の前方領域に向けて吐出し、また、予め与えられた制御手順に従って前記ファンの回転数を制御し、
前記操作者検知部によって前記操作者が前記操作部の近傍に存在していることを検知した場合に、前記空気の流れを、前記操作部の前方領域に向かう流れから、前記防塵対象の装置における冷却対象部位に向かう流れに切り換える。
【発明の効果】
【００１１】
本発明によれば、操作部に塵埃が堆積することを効果的に防止できる。
【図面の簡単な説明】
【００１２】
【図１】本発明に係る第１実施形態の防塵装置の構成を簡略化して示す概略図である。
【図２】本発明に係る防塵装置を備えている自動取引装置の構成例を示す模式図である。
【図３】本発明に係る防塵装置を備えているフード装置の構成例を示す模式図である。
【図４】本発明に係る第２実施形態の自動取引装置の外観を模式的に示す斜視図である。
【図５】第２実施形態の自動取引装置における操作部の周辺の構成を説明する図である。
【図６】第２実施形態の自動取引装置における内部構成を簡略化して示す断面図である。
【図７】第２実施形態の自動取引装置における切り換え部の構成を説明する断面図である。
【図８】本発明に係る第３実施形態の自動取引装置の内部構成を簡略化して示す断面図である。
【図９】第３実施形態の自動取引装置における空気吸入口を説明するモデル図である。
【図１０】本発明に係る第４実施形態のフード装置の外観を簡略化して示す斜視図である。
【図１１】第４実施形態のフード装置の内部構成を説明する図である。
【図１２】第４実施形態のフード装置を構成する切り換え部を説明する模式図である。
【図１３】さらに、第４実施形態のフード装置を構成する切り換え部を説明する模式図である。
【図１４】第４実施形態のフード装置における空気の流れを説明する図である。
【図１５】螺旋気流形成部の形態例を示すモデル図である。
【図１６】その他の実施形態を説明する断面図である。
【発明を実施するための形態】
【００１３】
以下に、本発明に係る実施形態を図面を参照しながら説明する。
【００１４】
（第１実施形態）
図１は、本発明に係る第１実施形態の防塵装置の構成を簡略化して実線により示す概略図である。第１実施形態の防塵装置１は、空気通路２と、切り換え部３と、ファン４と、冷却風供給部５と、操作者検知部６と、制御部７とを有している。
【００１５】
空気通路２は空気吐出口８を備えている。空気吐出口８は、防塵対象の装置に設けられている操作部１０の前方領域に向けて開口している開口部である。ファン４は、空気通路２の吸排気を行う送風機である。具体的には、ファン４は、回転駆動により取り込んだ空気（給気）を空気通路２の空気吐出口８に向けて排気するように設けられている。
【００１６】
冷却風供給部５は、空気通路２の空気を防塵対象の装置における冷却対象部位１１に導く構成を備えている。切り換え部３は、空気通路２の空気の流れを、空気吐出口８に向かう流れから冷却風供給部５側に、又は、その逆に切り換える構成を備えている。操作者検知部６は、操作部１０を操作する操作者が操作部１０の近傍に存在することを検知する機能を備えている。
【００１７】
制御部７は、操作者検知部６が操作者の存在を検知している場合には、切り換え部３によって空気通路２の空気の流れを空気吐出口８に向かう流れから冷却風供給部５に向かう流れに切り換える制御機能を備えている。制御部７は、さらに、操作者検知部６が操作者の存在を検知していない場合には、切り換え部３によって空気通路２の空気の流れを冷却風供給部５に向かう流れから空気吐出口８に向かう流れに切り換える制御機能を備えている。さらに、制御部７は、操作者検知部６が操作者の存在を検知していない場合に、予め与えられた風量制御手順に従ってファン４の回転数を制御する制御機能をも備えている。
【００１８】
この第１実施形態の防塵装置１における空気吐出口８は、操作部１０の前方領域に向けて開口している。これにより、当該防塵装置１は、空気吐出口８から操作部１０の前方領域に向けて空気を吐出する。この吐出空気により、操作部１０の前方にエアーカーテンを形成することができる。このため、操作部１０の周囲で浮遊している埃が操作部１０に落下しようとしても、防塵装置１は、エアーカーテンによって、その落下してきた埃を吹き飛ばすことができる。これにより、防塵装置１は、操作部１０に埃が付着することを防止する。
【００１９】
また、操作者が操作部１０の近傍に近付いて操作部１０を操作しようとした場合には、防塵装置１は、制御部７の制御機能によって、空気通路２の空気の流れを、空気吐出口８に向かう流れではなく、冷却風供給部５に向かう流れに切り換える。このため、空気吐出口８からの空気の吐出は無くなる。つまり、操作部１０の前方領域にはエアーカーテンが形成されない。これにより、操作者は、エアーカーテンによる違和感や不快感を感じることなく、操作部１０を操作することができる。換言すれば、防塵装置１は、操作者に不快感や違和感を与えることを回避できる。
【００２０】
さらに、エアーカーテンを形成しない場合には、防塵装置１は、空気通路２の空気を冷却風供給部５に向かう流れに切り換える。このため、防塵装置１は、ファン４を継続的に駆動させ、ファン４による空気を冷却対象部位１１に導いて当該冷却対象部位１１を冷却できる。これにより、防塵装置１は、送風の利用率を高めることができる。
【００２１】
さらにまた、防塵装置１は、操作者が操作部１０の近傍に存在していないことを検知している場合（つまり、エアーカーテンを形成している場合）に、制御部７の制御機能によって、ファンの回転数を制御する。この回転数制御によって、ファン４の回転数を例えば一時的に増加することにより、空気吐出口８から吐出する風量が例えば一時的に増加する。これにより、防塵装置１は、操作部１０に付着している塵埃を効果的に吹き飛ばすことができる。
【００２２】
防塵装置１は、埃が付着することをエアーカーテンによって防止することと、ファン４の回転数制御による風量制御によって付着埃を吹き飛ばすこととの組み合わせによって、操作部１０に塵埃が堆積することを防止できる効果をより高めることができる。
【００２３】
図２は、防塵装置１が組み込まれた自動取引装置を簡略化して示す概略図である。この自動取引装置１３は、防塵装置１と、操作部１０と、筐体１４とを有している。筐体１４には、操作部１０が露出するように配設される。この自動取引装置１３では、防塵装置１を構成する空気通路２と切り換え部３とファン４と冷却風供給部５と操作者検知部６と制御部７は、筐体１４の内部に位置している。防塵装置１の空気吐出口８は、筐体１４に形成されている。
【００２４】
この自動取引装置１３は、前述した防塵装置１を備えているので、防塵装置１における前記効果を得ることができる。このため、自動取引装置１３は、操作部１０に塵埃が堆積することを防止でき、これにより、塵埃堆積に起因して利用者（操作者）が利用を控える事態を防止できる。また、自動取引装置１３では、人による操作部１０の清掃回数を低減できることから、その清掃に要する費用の削減を図ることができる。
【００２５】
さらに、操作部１０が使用されている場合には、自動取引装置１３は、駆動による発熱量が増加している状態である。このような場合に、防塵装置１は、操作部１０の前方領域にエアーカーテンを形成するのではなく、自動取引装置１３の冷却対象部位（例えば、発熱量が多い制御装置を含む部分）に向けて空気（冷却風）を供給できる。このため、自動取引装置１３は、操作部１０の使用に起因して例えば制御装置等の発熱量が増加しても、その制御装置等の温度上昇を抑制することが可能である。
【００２６】
図３は、防塵装置１が組み込まれたフード装置を簡略化して示す概略図である。このフード装置１５は、防塵装置１と、防塵フード１６とを有している。防塵フード１６は、防塵対象の装置１７に設けられている操作部１０の前方領域を覆うように防塵対象の装置１７に被せることができる形状および大きさを備えている。防塵フード１６には、操作部１０の前方領域を開口する開口部１８が形成されている。
【００２７】
防塵装置１を構成する空気通路２と切り換え部３とファン４と冷却風供給部５と操作者検知部６と制御部７は、例えば、防塵フード１６の内部に配置されている。空気通路２の空気吐出口８は、防塵フード１６の開口部１８の開口端縁に配置されている。これにより、空気吐出口８から吐出した空気は、操作部１０の前方領域に向けて吐出する。
【００２８】
このフード装置１５は、上記のように防塵装置１を備え、操作部１０の前方領域（開口部１８）にエアーカーテンを形成できる機能を備えている。当該フード装置１５は、防塵対象の装置１７に被せるだけでも操作部１０に付着する塵埃を軽減できる上に、上記の如く操作部１０の前方領域にエアーカーテンを形成できるから、操作部１０に塵埃が付着することを防止できる高い効果を得ることができる。さらに、フード装置１５は、操作者が操作部１０の近傍にいない場合には、装置１７を冷却することが可能である。
【００２９】
さらにまた、フード装置１５は、当該装置１５を防塵対象の装置１７に被せることによって、防塵対象の装置１７を設計変更することなく、前述したような防塵装置１による効果を防塵対象の装置１７に持たせることができるという効果を奏することができる。
【００３０】
（第２実施形態）
以下に、本発明に係る第２実施形態を説明する。
【００３１】
図４は、本発明に係る第２実施形態の自動取引装置の外観を模式的に示す斜視図である。この第２実施形態の自動取引装置２０は、商品の取引に利用される装置であり、当該自動取引装置２０の例を挙げると、現金自動預け払い機や、切符や観賞券等のチケットを販売する自動券売機や、情報を提供する情報サービス提供機などがある。
【００３２】
この自動取引装置２０は、操作部２１と、筐体２２と、防塵装置２３とを有し、操作部２１に塵埃が堆積することを防止する防塵機能を備えている。すなわち、操作部２１は、自動取引装置２０の利用者（操作者）が自動取引装置２０を操作するために操作者が情報や指令を自動取引装置２０に入力する部位である。操作部２１としては、タッチパネルを備えたディスプレイや、キーボードなどが挙げられる。
【００３３】
筐体２２は、自動取引装置２０を構成する主要な構成部分を収容するものであり、操作部２１を露出する開口部２５を有している。筐体２２は、さらに、図５に示すような、操作部２１（開口部２５）よりも前方側に張り出した（突き出した）張り出し部２６を有している。この張り出し部２６は、開口部２５の図５に示す上方側と左右両側に形成されている。当該張り出し部２６は、開口部２５の形成面２２ａから立ち上がっている立ち上がり壁面２６ａを有している。この立ち上がり壁面２６ａには、図５の実線に示すように、操作部２１の上方側に位置する部位に、空気吐出口２８が形成されている。この空気吐出口２８は、操作部２１の前方領域に向いて開口している。この第２実施形態では、複数の空気吐出口２８が間隔を介して配列形成されている。
【００３４】
図６は、自動取引装置２０の内部構成を簡略化して示すＡ−Ａ部分（図４参照）の断面図である。自動取引装置２０は、さらに、空気通路３０と、切り換え部３１と、ファン３２と、操作者検知部３３と、制御部３４と有している。これら構成部分３０〜３４は、防塵装置２３を構成している。
【００３５】
筐体２２には、図６に示されるように、吸気口３６が形成されている。この吸気口３６に向き合うようにファン３２が配置されている。ファン３２は、吸気口３６を通して空気を吸い込むと共に、空気を送り出す送風機である。
【００３６】
空気通路３０の一端側を形成する通路壁の一部は、前述した張り出し部２６の立ち上がり壁面２６ａを構成する。つまり、空気通路３０の一端側には空気吐出口２８が形成されている。この第２実施形態では、前述したように、複数の空気吐出口２８が配列形成されている。
【００３７】
空気通路３０の他端側には開口部３０ａが形成されている。この開口部３０ａは、ファン３２から送り出された空気（排気）が流れ込む導入口となっている。空気通路３０は、そのファン３２による空気（風）を空気吐出口２８に導く通路として機能する。空気吐出口２８に導かれた空気は、空気通路３０における複数の空気吐出口２８から通路外（筐体２２の外部）に吐出する。この吐出した（吹き出した）空気は、操作部２１の前方領域を通り抜ける風となる。この第２実施形態では、空気吐出口２８から吐出した空気によって操作部２１の前方領域が覆われたような状態となるように、空気吐出口２８の開口面積や、空気吐出口２８間の間隔などが、ファン４の能力や、立ち上がり壁面２６ａの大きさ等を考慮して設計される。これにより、空気吐出口２８から吐出した空気は、操作部２１の前方領域を覆うエアーカーテンを形成する。なお、空気吐出口２８の開口形状や形成数は、操作部２１の前方領域を覆うエアーカーテンを形成できれば、図５の例に限定されるものではない。例えば、空気吐出口２８は１つでもよい。また、空気吐出口２８の開口形状は、三角以上の多角形状であってもよい。
【００３８】
切り換え部３１は、空気通路３０に介設されている。図７は、切り換え部３１の一構成例を模式的に示す断面図である。ところで、この図７に示されるように、空気通路３０の通路壁には冷却風供給口３８が形成されている。冷却風供給口３８は、冷却対象部位（例えば、自動取引装置２０の制御装置（図示せず）や機械的に駆動する部位というような発熱する部位）に向けて風を供給する開口部である。第２実施形態では、冷却風供給口３８が冷却風供給部として機能する。
【００３９】
切り換え部３１は、切り換え弁４０と、駆動部４１とを有している。切り換え弁４０は、冷却風供給口３８を塞ぐ機能と、空気通路３０を塞ぐ機能とを備えている。駆動部４１は、切り換え弁４０を回転軸４０ａを中心にして回転駆動する機能を備えている。切り換え弁４０が図７の実線に示されるように冷却風供給口３８を塞いでいる場合には、ファン３２による空気通路３０の通風は、切り換え弁４０に妨げられることなく、空気吐出口２８に向けて流れる。これに対し、駆動部４１によって切り換え弁４０が回転駆動して当該切り換え弁４０が図７の点線に示されるように空気通路３０を塞いでいる場合には、冷却風供給口３８が開放している状態となる。この場合には、ファン３２による空気通路３０の空気の流れは、切り換え弁４０によって、冷却風供給口３８に向かう方向に変化する。このため、空気通路３０の空気は、開放状態の冷却風供給口３８から吐出して冷却対象部位に吹き付けられる。
【００４０】
すなわち、切り換え部３１は、空気通路３０の空気の流れを、空気吐出口２８に向かう流れから冷却風供給口３８に向かう流れに、又はその逆に切り換えることができる機能を備えている。
【００４１】
操作者検知部３３は、操作部２１の近傍に配置される。当該操作者検知部３３は、自動取引装置２０を操作する操作者が操作部２１の近傍に存在することを検知する機能を備えている。具体的には、操作者検知部３３は、人や物体の接近や存在の有無を非接触で検知する近接センサ（接近センサ）により構成される。近接センサには、誘導形、静電容量形、超音波形、光電形、磁気形等の様々な種類があり、ここでは、何れの種類の近接センサを採用してもよい。
【００４２】
制御部３４は、例えば、ＣＰＵ（Central Processing Unit）により構成されている。当該制御部３４は、記憶装置（図示せず）に予め格納されているコンピュータプログラム（プログラム）と、操作者検知部３３からの出力情報とに基づいて、切り換え部３１とファン３２を次のように制御する機能を備えている。すなわち、上記コンピュータプログラムには、切り換え部３１とファン３２を制御する制御手順が含まれており、制御部３４は、記憶装置から読み出した上記コンピュータプログラムの制御手順に従って切り換え部３１とファン３２を制御する。具体的には、操作者検知部３３が操作者の存在を検知していない場合には、制御部３４は、切り換え部３１の切り換え弁４０が冷却風供給口３８を塞ぐように駆動部４１（切り換え部３３）の動作を制御する。これにより、空気通路３０の空気は、空気吐出口２８から操作部２１の前方領域に向けて吐出して操作部２１の前方領域にエアーカーテンを形成する。
【００４３】
また、この場合（操作者検知部３３が操作者の存在を検知していない場合）には、制御部３４は、ファン３２の回転数を増加する制御を行う。つまり、予め実験やシミュレーションによって、エアーカーテンを形成するのに適した風量に応じたファン３２の回転数が求められ、当該回転数が通常回転数として記憶装置（図示せず）に記憶される。また、操作部２１に落下（付着）した塵埃を吹き飛ばすことができる風量に応じたファン３２の回転数が実験やシミュレーションによって求められ、当該回転数が増加回転数として記憶装置（図示せず）に記憶される。さらに、ファン３２の回転数を増加するファン風量増加期間を開始する時点の情報が記憶装置（図示せず）に記憶される。その開始時点としては、例えば、操作者検知部３３が操作者の存在を検知しなくなってから予め定めた時間（１分）が経過した時点とする。さらにまた、前記ファン風量増加期間を終了する時点の情報が記憶装置（図示せず）に記憶される。その終了時点としては、例えば、ファン３２の回転数を増加する制御を開始してから（ファン風量増加期間の開始時点から）予め定めた時間（４５秒）が経過した時点とする。
【００４４】
制御部３４は、操作者検知部３３からの出力情報と、内蔵しているタイマ（図示せず）のカウント情報に基づいて、前記ファン風量増加期間であることを検知すると、ファン３２の回転数を、記憶装置に記憶されている前記増加回転数まで増加する。そして、制御部３４は、前記タイマ（図示せず）のカウント情報に基づいて前記ファン風量増加期間の終了時点であることを検知すると、ファン３２の回転数を、記憶装置に記憶されている前記通常回転数に戻す。制御部３４は、前記ファン風量増加期間でない場合には、前記通常回転数となるようにファン３２の回転数を制御する。なお、制御部３４は、操作者検知部３３が操作者の存在を検知していない場合に、ファン３２の回転数が断続的に前記増加回転数に増加するようにファン３２の回転数を制御してもよい。
【００４５】
制御部３４は、操作者検知部３３が操作者の存在を検知すると、切り換え部３１の切り換え弁４０が空気通路３０を塞ぐように駆動部４１（切り換え部３３）の動作を制御する。これにより、空気通路３０の空気は、空気吐出口２８ではなく、冷却風供給口３８から通路外に吐出する。この吐出した空気は、自動取引装置２０の冷却対象部位に向けて吹き付けられる。この場合には、操作部２１の前方領域にエアーカーテンは形成されない。
【００４６】
なお、制御部３４は、自動取引装置２０を制御する制御装置の一部の機能であってもよいし、その制御装置とは別体の防塵装置２３に専用の制御装置であってもよい。
【００４７】
この第２実施形態の自動取引装置２０は、第１実施形態で述べた自動取引装置１３と同様の効果を得ることができる。つまり、自動取引装置２０は、操作部２１に塵埃が堆積することを防止でき、これにより、塵埃堆積に起因して利用者（操作者）が利用を控える事態を防止できるという効果を得ることができる。また、自動取引装置２０は、人による操作部２１の清掃回数を低減できることから、その清掃に要する費用の削減を図ることができる。さらに、操作者が自動取引装置２０を操作している場合には、自動取引装置２０は、防塵装置２３の空気でもって、制御装置等を冷却できるという効果を得ることもできる。
【００４８】
なお、上記説明では、空気吐出口２８は、操作部２１の上方側に位置している例を示したが、図５の点線に示されるように、操作部２１の上方側に加えて、操作部２１の左右両側にも空気吐出口２８が形成されていてもよい。この場合には、操作部２１の左右両側の張り出し部２６ａまで空気通路３０が伸長形成されている。
【００４９】
（第３実施形態）
以下に、本発明に係る第３実施形態を説明する。
【００５０】
図８は、第３実施形態の自動取引装置の内部構成を簡略化して示す断面図である。この第３実施形態の自動取引装置４３において次に述べる構成部分以外の構成は第２実施形態の自動取引装置２０と同様である。この第３実施形態の説明では、第２実施形態と同様な構成部分には同一符号を付し、その共通部分の重複説明は省略する。
【００５１】
この第３実施形態では、筐体２２には、開口部２５の上方側と左右両側に加えて、さらに、開口部２５の下方側にも張り出し部２６が形成されている。図９に示されるように、開口部２５の下方側における張り出し部２６の立ち上がり壁面２６ａには、空気吸入口４４が、例えば空気吐出口２８と向き合うように形成されている。この第３実施形態では、複数の空気吸入口４４が配列形成されている。
【００５２】
筐体２２の内部には、図８に示されるような給気通路４５が形成されている。この給気通路４５の一端側を形成する通路壁の一部は、開口部２５の下方側に位置する張り出し部２６の立ち上がり壁面２６ａを構成している。つまり、この給気通路４５の一端側には複数の空気吸入口４４が形成されている。
【００５３】
給気通路４５の他端側には開口部４５ａが形成されている。この開口部４５ａは、ファン３２の吸い込み側に接続されている。これにより、この第３実施形態では、ファン３２は、回転駆動することにより、空気吸入口４４から給気通路４５を通して吸い込んだ空気を空気通路３０に送り出す。このように、この第３実施形態では、ファン３２は、空気吸入口４４から吸気するので、第２実施形態においては筐体２２に形成されていた吸気口３６が省略されている。
【００５４】
この第３実施形態では、前述したように、空気吐出口２８と空気吸入口４４は向き合うように形成されているために、空気吐出口２８から吐出された空気の多くが、空気吸入口４４に取り込まれる（吸い込まれる）。つまり、空気通路３０とファン３２と給気通路４５は空気の循環路を構成している。
【００５５】
この第３実施形態の自動取引装置４３は、第２実施形態と同様に、操作部２１の前方領域にエアーカーテンを形成する機能を備えている。さらに、自動取引装置４３は、操作者が操作部２１の近傍に存在する場合にはエアーカーテンから冷却風の形成に切り換える機能と、ファン３２の回転数を増加する機能とを備えている。このような機能を備えているので、自動取引装置４３は、第２実施形態と同様の効果を得ることができる。特に、この第３実施形態の自動取引装置４３は、空気吐出口２８から吐出した空気をファン３２によって吸い込む構成であるから、操作部２１の前方領域に、空気の乱れの少ないエアーカーテンを形成できる。また、エアーカーテンを構成する空気（風）の速さを可変調整することが容易となる。このようなことにより、自動取引装置４３は、エアーカーテンによる塵埃付着防止効果を高めることができる。
【００５６】
（第４実施形態）
以下に、本発明に係る第４実施形態を説明する。
【００５７】
この第４実施形態では、防塵装置を備えたフード装置の一形態例を説明する。図１０は、第４実施形態のフード装置の外観例を実線により模式的に示す斜視図である。図１１は、第４実施形態のフード装置の構成を簡略化して示す模式図である。
【００５８】
この第４実施形態のフード装置４８は、図１１に示されるように、防塵フード５０と、防塵装置５１とを有している。防塵フード５０は、図１０に示されるように、防塵対象の装置７０に設けられている操作部７１の前方領域を覆うように防塵対象の装置７０に被せることができる構成を備えている。この防塵フード５０は、操作部７１の前方領域を開口する開口部５２を有している。
【００５９】
防塵フード５０には、図１１に示されるように、開口部５２の開口端縁部分に開口部５２を囲むように空気通路である環状の通路５３が形成されている。この環状の通路５３を構成する通路壁には、開口部５２の上方側（天頂側）に位置する部分に空気吐出口５４が開口部５２の中央側に向けて開口している。さらに、当該環状の通路５３を構成する通路壁には、開口部５２の下方側（底側）に位置する部分に空気吸入口５５が開口部５２の中央側に向けて開口している。つまり、空気吐出口５４と空気吸入口５５は、互いに向き合うように開口している。
【００６０】
また、環状の通路５３の内部には、開口部５２の上方側と下方側にそれぞれに位置する部位に、仕切り部材５６ａ，５６ｂが配設されている。これら仕切り部材５６ａ，５６ｂは、通路５３を塞いでおり、通路５３の内部空気を仕切る機能を備えている。さらに、環状の通路５３の内部には、開口部５２の左右両側に位置する部位に、ファン５７ａ，５７ｂが配設されている。これらファン５７ａ，５７ｂは、通路５３における下部側（底側）の空気を吸い込み、当該吸い込んだ空気を通路５３における上部側（天頂側）に送り出す（排気する）機能を備えている。当該ファン５７ａ，５７ｂは、空気吸入口５５と通路５３と空気吐出口５４と開口部５２を通る空気（風）の循環流が形成できる能力を有している。これにより、ファン５７ａ，５７ｂの駆動によって、防塵フード５０の開口部５２には、エアーカーテンが形成される。
【００６１】
防塵フード５０の内部には、さらに、天頂側に、冷却風供給部であるダクト（冷却風通路）５８が配設されている。このダクト５８の一端側は通路５３に連接されており、当該一端側からダクト５８の内部に通路５３の空気が導入可能となっている。つまり、ダクト５８の一端側はダクト入り口として機能する。ダクト５８の他端側は、防塵フード５０の底側に向けて開口している。この底側に向けて開口している開口部５９は、フード装置４８が防塵対象の装置７０に装着されている状態において、その装置７０の冷却対象部位に向けて冷却風を吐出する冷却風供給口として機能する。
【００６２】
防塵フード５０の内部には、さらにまた、空気の流れを切り換える次のような切り換え部が形成されている。すなわち、通路５３の内部には、図１２（ａ），（ｂ）に示されるような切り換え片６０が配設されている。また、防塵フード５０には、切り換え片６０を駆動（制御）する駆動部６１が設けられている。切り換え片６０は、図１２（ａ）に示されるように空気吐出口５４を塞ぐと共にダクト５８の入り口５８ａを開放する機能と、図１２（ｂ）に示されるように空気吐出口５４を開放すると共にダクト５８の入り口５８ａを塞ぐ機能とを備えている。駆動部６１は、切り換え片６０を、図１２（ａ）に示される状態から図１２（ｂ）に示される状態に、又はその逆に駆動する機能を備えている。なお、図１２（ａ），（ｂ）は、仕切り部材５６ａよりも右側の部分を図示しており、当該図１２（ａ），（ｂ）においては、仕切り部材５６ａよりも左側の部分の図示が省略されている。この省略された仕切り部材５６ａよりも左側においても、上記同様の切り換え片６０および駆動部６１が設けられている。
【００６３】
さらに、通路５３を構成する通路壁には、図１３（ａ），（ｂ）に示されるような給気口６５が形成されている。この給気口６５の形成位置は、空気吸入口５５の形成領域とファン５７ａとの間の領域、および、空気吸入口５５の形成領域とファン５７ｂとの間の領域である。当該給気口６５は、防塵フード５０の内部に向けて開口している。
【００６４】
通路５３の内部には、さらに、切り換え片６２が設けられている。また、防塵フード５０には、切り換え片６２を駆動（制御）する駆動部６３が設けられている。なお、図１３（ａ），（ｂ）は仕切り部材５６ｂよりも右側の部分を図示しており、当該図１３（ａ），（ｂ）においては、仕切り部材５６ｂよりも左側の部分の図示が省略されている。この省略された仕切り部材５６ｂよりも左側においても、上記同様の切り換え片６２および駆動部６３が設けられている。
【００６５】
切り換え片６２は、図１３（ｂ）に示されるように給気口６５を塞ぐ機能を備えている。さらに、切り換え片６２は、図１３（ａ）に示されるように給気口６５を開放すると共に、給気口６５の形成領域と空気吸入口５５の形成領域との間で通路５３を塞ぐ機能を備えている。駆動部６３は、切り換え片６２を、図１３（ａ）に示される状態から図１３（ｂ）に示される状態に、又はその逆に駆動する機能を備えている。
【００６６】
この第４実施形態では、切り換え片６０，６２と駆動部６１，６３と給気口６５によって切り換え部が構成されている。この切り換え部によって、次のように、通路５３の空気の流れを切り換えることができる。すなわち、切り換え片６０が図１２（ｂ）に示されるように空気吐出口５４を開放し、かつ、切り換え片６２が図１３（ｂ）に示されるように給気口６５を塞ぐと共に通路５３を開けているとする。この場合には、ファン５７ａ，５７ｂの駆動によって、空気吸入口５５と通路５３と空気吐出口５４と開口部５２を通る図１４（ａ）のモデル図に示されるような風の循環流Ｒが形成される。これにより、防塵フード５０の開口部５２にエアーカーテンが形成される。
【００６７】
これに対して、切り換え片６０が図１２（ａ）に示されるように空気吐出口５４を塞ぐと共にダクト５８の入り口５８ａを開放し、かつ、切り換え片６２が図１３（ａ）に示されるように給気口６５を開放すると共に通路５３を塞ぐとする。この場合には、ファン５７ａ，５７ｂの駆動によって、図１４（ｂ）のモデル図に示されるように、給気口６５を通って空気Ｋが通路５３の内部に取り込まれ、この取り込まれた空気Ｋは通路５３を通ってダクト５８に流れ込む。そして、当該空気Ｋは、ダクト５８を通って冷却風供給口５９から吐出する。フード装置４８が図１０に示されるように装置７０に装着されている状態においては、その冷却風供給口５９から吐出した空気Ｋは装置７０に吹き付けられ、装置７０を冷却する冷却風として機能する。
【００６８】
図１１に示されるように、防塵フード５０には、さらに、制御部６６と操作者検知部６７が設けられている。操作者検知部６７は、開口部５２の端縁部分に設置されている。当該操作者検知部６７は、第２や第３の実施形態における操作者検知部３３と同様の構成を有している。制御部６６は、第２や第３の実施形態で示した制御部３４と同様の構成を備えており、予め与えられたプログラムと、操作者検知部６７からの出力情報とに基づいて、ファン５７ａ，５７ｂの回転数制御および前記切り換え部の切り換え制御を行う機能を有している。すなわち、操作者検知部６７が操作者の存在を検知していない場合には、制御部６６は、図１４（ａ）に示されるような風の循環流Ｒ（換言すれば、エアーカーテン）が形成されるように切り換え部の駆動部６１，６３を制御する。また、この場合に、制御部６６は、第２や第３の実施形態と同様に、ファン５７ａ，５７ｂの回転数を増加する回転数制御を行う。
【００６９】
これに対して、操作者検知部６７が操作者の存在を検知している場合には、制御部６６は、図１４（ｂ）に示されるようにダクト５８から冷却風Ｋが吹き出されるように切り換え部の駆動部６１，６３を制御する。この場合には、エアーカーテンの形成が中断される。
【００７０】
この第４実施形態では、上記したような、空気吐出口５４と空気吸入口５５を有する空気通路である通路５３と、ファン５７ａ，５７ｂと、ダクト（冷却風供給部）５８と、切り換え部と、制御部６６と、操作者検知部６７とによって防塵装置５１が構成されている。
【００７１】
この第４実施形態のフード装置４８は、第１〜第３の各実施形態で述べた防塵装置と同様の機能を持つ防塵装置５１を有しているので、第１〜第３の各実施形態の効果と同様の効果を得ることができる。また、この第４実施形態のフード装置４８は、防塵対象の装置７０を設計変更することなく、装置７０に防塵機能を容易に持たせることが可能となる。
【００７２】
（その他の実施形態）
なお、本発明は第１〜第４の各実施形態で述べた形態に限定されるものではなく、様々な実施の形態を採り得る。例えば、上記実施形態では、操作部の前方領域に形成するエアーカーテンは、上下方向に流れる空気（風）によって形成されている。これに代えて、例えば、より能力の高い（風量の大きな）ファンをファン３２，５７ａ，５７ｂとして採用する等の場合には、エアーカーテンは、左右方向に流れる空気（風）によって形成されてもよい。この場合には、例えば、空気吐出口８，２８，５４は、操作部２１（開口部５２）の上方側には設けず、操作部２１の左側と右側の一方側に設ける。
【００７３】
また、第１〜第４の各実施形態の構成に加えて、空気吐出口２８，５４に図１５のモデル図に示されるような螺旋気流形成部６８を設けてもよい。この螺旋気流形成部６８は、空気吐出口８，２８，５４から吐出する空気の流れを螺旋状（トルネード状）にする機能を備えている。例えば、螺旋気流形成部６８は、プロペラ状のフィン６８ａを有して構成される。
【００７４】
さらに、第２〜第４の各実施形態では、制御部３４，６６が、予め設定された通常回転数や増加回転数となるようにファン３２，５７ａ，５７ｂの回転数を制御している例を示している。これに代えて、例えば、制御部３４，６６は、予め設定された通常風量と増加風量に基づいてファン３２，５７ａ，５７ｂの回転数を制御してもよい。この場合には、空気通路３０，５３を流れる空気の風量を検知する風量検知部を設置する。そして、制御部３４，６６は、操作者検知部３３，６７が操作者の存在を検知していない場合にファン３２，５７ａ，５７ｂの回転数を増加する場合には、上記風量検知部からの出力情報に基づいて空気通路３０，５３の風量が予め設定された増加風量となるようにファン３２，５７ａ，５７ｂの回転数を制御する。それ以外の場合には、制御部３４，６６は、上記風量検知部からの出力情報に基づいて空気通路３０，５３の風量が予め設定された通常風量となるようにファン３２，５７ａ，５７ｂの回転数を制御する。
【００７５】
さらに、本発明に係る防塵装置を備えた自動取引装置は、例えば、第４実施形態に示したようなフード装置４８と組み合わされような形態を備えていてもよい。この場合には、防塵装置の多くがフード装置４８に設けられているが、例えば、制御部６６は、自動取引装置の動作を制御する制御装置の一部の機能であってもよい。また、操作者検知部６７は、フード装置を構成する防塵フードではなく、自動取引装置の筐体（本体）側に設けられていてもよい。
【００７６】
さらにまた、第２や第３の実施形態では、冷却風供給部３１として、空気通路３０の通路壁に冷却風供給口３８が形成されている。これに代えて、図１６の断面図に示されるように、冷却風供給部３１として、空気通路３０の空気を冷却対象部位に導く冷却風通路４６が空気通路３０に連接されていてもよい。
【符号の説明】
【００７７】
１，２３，５１  防塵装置
２，３０  空気通路
３，３１  切り換え部
４，３２，５７ａ，５７ｂ  ファン
５  冷却風供給部
６，３３，６７  操作者検知部
７，３４，６６  制御部
８，２８，５４  空気吐出口
１０，２１，７１  操作部
１３，２０，４３  自動取引装置
１４，２２  筐体
１５，４８  フード装置
１６，５０  防塵フード
６８  螺旋気流形成部
【図１】
0005840965.tif 000002
【図２】
0005840965.tif 000003
【図３】
0005840965.tif 000004
【図４】
0005840965.tif 000005
【図５】
0005840965.tif 000006
【図６】
0005840965.tif 000007
【図７】
0005840965.tif 000008
【図８】
0005840965.tif 000009
【図９】
0005840965.tif 000010
【図１０】
0005840965.tif 000011
【図１１】
0005840965.tif 000012
【図１２】
0005840965.tif 000013
【図１３】
0005840965.tif 000014
【図１４】
0005840965.tif 000015
【図１５】
0005840965.tif 000016
【図１６】
0005840965.tif 000017